(57)【要約】【課題】本発明は、精算処理に関する顧客の申し立ての正否の確認が容易に行える料金精算装置を提供する。【解決手段】料金精算装置２は顧客の操作によって取引が行われる際、手元カメラ１４によって取引口２３での取引媒体の受け渡しを撮影すると共に、正面カメラ１９によって取引を行う顧客の正面画像を撮影する。そして、画像記録部１２は、顧客の二次元コードよる識別コードに関連付けて、手元カメラ１４及び正面カメラ１９がそれぞれ撮影した画像を記録する。【選択図】図３
2018195007.tif 000002
【特許請求の範囲】
【請求項１】
顧客の操作によって取引を行う料金精算装置において、
前記顧客との間で取引媒体を受け渡しするための取引口と、
前記取引口を撮影するよう配置される手元カメラと、
前記顧客が前記取引口へ前記取引媒体を投入する際の画像又は前記取引口から前記取引媒体を排出する際の画像を撮影するよう前記手元カメラの作動を制御する制御部と、
前記顧客別に前記手元カメラの撮影した画像を記録する画像記録部と、
を備えたことを特徴とする料金精算装置。
【請求項２】
顧客の正面画像を撮影する正面カメラをさらに備えて、
前記画像記録部は、前記顧客別に前記手元カメラの撮影画像と前記正面カメラの撮影画像とを関連付けて記録することを特徴とする請求項１に記載の料金精算装置。
【請求項３】
前記制御部は、前記正面カメラが撮影する二次元コード画像をデコードする二次元コードリーダ部を備えたことを特徴とする請求項２に記載の料金精算装置。
【請求項４】
前記二次元コードは、顧客毎の識別コードであることを特徴とする請求項３に記載の料金精算装置。
【請求項５】
前記画像記録部は、前記識別コードで関連付けて、前記手元カメラ及び前記正面カメラのそれぞれの撮影画像を記録することを特徴とする請求項４に記載の料金精算装置。
【請求項６】
前記制御部は、前記二次元コードリーダ部が前記識別コードを読み取った後に前記正面カメラによる前記正面画像の撮影を制御することを特徴とする請求項３に記載の料金精算装置。
【請求項７】
前記制御部は、前記手元カメラの撮影画像から顧客の手を認識する画像認識部を備えて、
前記画像記録部は、前記画像認識部によって前記手が認識される前記撮影画像を記録することを特徴とする請求項１乃至６の何れかに記載の料金精算装置。
【発明の詳細な説明】
【技術分野】
【０００１】
本発明は、ホテルや旅館、店舗などに設置されて、顧客が現金での支払を行う料金精算装置に関する。
【背景技術】
【０００２】
従来、店舗での料金精算装置としては、例えば、特許文献１に示されているような精算システムが知られている。このシステムは、顧客の購入商品の登録を行って売上金額をＰＯＳ（Ｐｏｉｎｔ
Ｏｆ Ｓａｌｅ）レジスタで算出した精算金額を料金精算装置に通知し、料金精算装置は、顧客からの預かり金が投入されると識別及び計数を行って、顧客からの預かり金の総額から、ＰＯＳレジスタから通知された売上金額を減じて釣銭額を算出し、釣銭を出金するように構成されている。
【０００３】
また、ホテルなどでの料金精算装置としては、例えば、特許文献２に示されているような精算システムが知られている。このシステムは、入力顧客情報確認端末とネットワークを介してデータの送受信が可能に接続されてなる料金精算装置とが設置されて、料金精算装置は、入力顧客情報確認端末から受信した請求情報に基づく代金の入金受付処理、釣銭返金処理、及び領収書発行処理によって構成される精算処理を行うように構成されている。
【先行技術文献】
【特許文献】
【０００４】
【特許文献１】特開２０１３−１７５０４４号公報
【特許文献２】特許第６０９１５３６号公報
【発明の概要】
【発明が解決しようとする課題】
【０００５】
しかしながら、料金精算装置は精算処理の自動化を目的として設置されるため、顧客が行う操作の過程を確認することはできない。そのため、顧客が故意または過失により、投入した金額と異なる金額が料金精算装置に表示された、或いは釣り銭が出ないとか不足している等の申し立てがあっても、顧客の主張の正否を容易には判断できない。
【０００６】
上記点から本発明は、精算処理に関する顧客の申し立ての正否の確認が容易に行える料金精算装置を提供する。
【課題を解決するための手段】
【０００７】
上記の目的を達成するために、本発明は、顧客の操作によって取引を行う料金精算装置において、前記顧客との間で取引媒体を受け渡しするための取引口と、前記取引口を撮影するよう配置される手元カメラと、前記顧客が前記取引口へ前記取引媒体を投入する際の画像又は前記取引口から前記取引媒体を排出する際の画像を撮影するよう前記手元カメラの作動を制御する制御部と、前記顧客別に前記手元カメラの撮影した画像を記録する画像記録部と、を備えたことを特徴としている。
【０００８】
さらに、本発明に係わる料金精算装置は、顧客の正面画像を撮影する正面カメラをさらに備えて、前記画像記録部は、前記顧客別に前記手元カメラの撮影画像と前記正面カメラの撮影画像とを関連付けて記録することを特徴としている。
【０００９】
前記制御部は、前記正面カメラが撮影する二次元コード画像をデコードする二次元コードリーダ部を備えるとよい。この場合に、前記制御部は、前記二次元コードリーダ部が前記識別コードを読み取った後に前記正面カメラによる前記正面画像の撮影を行うように制御することで二次元コード画像と書面画像の撮影を切り換えることができる。
【００１０】
そして、二次元コードが顧客毎の識別コードとすることで、識別コードに関連付けて、前記手元カメラ及び前記正面カメラのそれぞれの撮影画像を顧客別に記録することができる。
【００１１】
また、前記制御部は、前記手元カメラの撮影画像から顧客の手を認識する画像認識部を備えて、前記画像記録部は、前記画像認識部によって前記手が認識される前記撮影画像を記録することで、顧客が取引口で取引媒体の受け渡しをしているときの画像だけを記録することができる。
【発明の効果】
【００１２】
本発明による料金精算装置によれば、顧客による取引口を通しての取引媒体の受け渡しを記録するために、後の取引媒体の処理を巡るトラブルに際しての客観的に判断するための資料とすることができる。
【図面の簡単な説明】
【００１３】
【図１】本発明に係わる料金精算装置を備えるチェックイン・チェックアウトシステム構成のブロック図を示す。
【図２】本発明に係わる料金精算装置の外観説明図を示す。
【図３】本発明に係わる料金精算装置の電気的な構成をブロック図で示す。
【図４】料金精算装置のタッチ操作ディスプレイの画面に表示される宿泊者情報の入力画面の説明図を示す。
【図５】料金精算装置のタッチ操作ディスプレイの画面に表示される署名の入力画面の説明図を示す。
【図６】サーバ装置のデータベースに格納されるデータ構成の模式的な説明図を示す。
【図７】チェックイン・チェックアウトシステムにおける予約とチェックインにおける処理手順をタイミングチャートで示す。
【図８】チェックイン・チェックアウトシステムのチェックアウトにおける処理手順をタイミングチャートで示す。
【図９】料金精算装置の精算処理の動作を説明するフローチャートを示す。
【図１０】画像記録部から読み出した画像の模式的な説明図を示す。
【図１１】料金精算装置のタッチ操作ディスプレイの初期画面の説明図を示す。
【発明を実施するための形態】
【００１４】
以下、本発明を実施する好ましい形態の料金精算装置について図面を参照しながら説明する。
【００１５】
図１は本発明に係わる料金精算装置２を備えたホテルや旅館等の宿泊施設におけるチェックイン・チェックアウトシステム１での一実施形態を概略的に示すブロック図である。
【００１６】
チェックイン・チェックアウトシステム１は、料金精算装置２とサーバ装置３とを相互にデータの送受信が可能にＬＡＮ（Ｌｏｃａｌ  Ａｒｅａ  Ｎｅｔｗｏｒｋ）４で接続して構成される。そして、サーバ装置３は、インターネット、電話回線、移動体通信網等による通信ネットワーク５を介して、ホテルを利用する顧客が所持するユーザー端末装置６とデータの送受信が可能に接続される。ユーザー端末装置６はノート型のＰＣ（パーソナルコンピュータ）、タブレットＰＣ、スマートフォン、携帯電話機等、他の携帯端末装置であるのが好適である。
【００１７】
ホテルを利用する顧客は、料金精算装置２でチェックイン・チェックアウトの操作を行うと共に、それによって示される宿泊料金等の代金の支払いを行う。
【００１８】
図２は料金精算装置２の外観図を示しており、正面パネルの上部の傾斜面には、表示パネルと、顧客が指示などを入力するタッチパネル入力部とが一体化されているタッチ操作ディスプレイ１３が配置されている。また、正面パネルのこの傾斜面には、タッチ操作ディスプレイ１３と正対する顧客の正面画像を撮影する正面カメラ１９が配置されている。正面カメラ１９は二次元コード画像の撮影にも使用される。本例では、二次元コードとしてＱＲ（Ｑｕｉｃｋ  Ｒｅｓｐｏｎｓｅ）コード（登録商標）を用いている。
【００１９】
そして、正面パネルの下部には、クレジットカード挿入口２２、紙幣の投入口及び釣札紙幣の受取口を兼用する紙幣投入受取口２３、硬貨投入口２４、釣銭払出口２５、カードキー発行・受取口２６等が配置されている。紙幣投入受取口２３には、紙幣の投入及び受け取り時の顧客の手を撮影可能な位置に手元カメラ１４（図３を参照）が配置されている。したがって、本例においては、取引媒体である紙幣を顧客と受け渡しする紙幣投入受取口２３が取引口となる。また、クレジットカード挿入口２２は、レシートの発行口も兼ねている。
【００２０】
図３は、料金精算装置１を構成する各部の電気的接続をブロック図で示し、料金精算装置１は、プログラム等を記憶する図示しないＲＯＭ、このＲＯＭから読み出したプログラムや各種データを一時記憶するＲＡＭ、プログラムを実行する図示しないプロセッサから構成される制御部１０を有している。制御部１０には、ハードディスク又はフラッシュメモリ等による画像記録部１２と、タッチ操作ディスプレイ１３と、手元カメラ１４と、クレジット決済を行うクレジットカード読取端末１５と、硬貨処理装置１６と、紙幣処理装置１７と、カード型のキーによるルームキー（以下、「カードキー」という）の貸し出し及び返却の受付を行うカードキー処理ユニット１８と、正面カメラ１９と、レシートプリンタ２０と、通信部２１と、が接続されている。クレジットカード読取端末１５は、外部の決済センター９とも通信ネットワーク５で直接繋がっており、読み取ったクレジットカードの情報を決済センター９との通信により信用照会の問合せを行う。
【００２１】
制御部１０は、プログラム制御により料金精算装置１の全体を制御するもので、予約確認手段１０ａ、宿泊者情報取得手段１０ｂ、署名情報取得手段１０ｃ、精算制御手段１０ｄ、画像記録制御手段１０ｅ、ルームキー管理手段１０ｆの各機能を実現する。以下、この各機能について説明する。
【００２２】
予約確認手段１０ａは、正面カメラ１９の撮影画像を認識して画像内にＱＲコードが含まれているかを判別して、ＱＲコードが含まれていれば、それをデコードしてテキストデータによる予約番号に変換するＱＲコードリーダ部１０１を含む。そして、予約確認手段１０ａは、ＱＲコードリーダ部１０１が解読した予約番号を通信部２１からサーバ装置３に送信して予約を確認する。これに応答して、サーバ装置３から当該予約番号に対応する予約情報が送られてくると予約の確認が得られて、料金精算装置２は顧客によるチェックインの手続きを可能とする。
【００２３】
宿泊者情報取得手段１０ｂは、タッチ操作ディスプレイ１３に顧客がホテル側に提示すべき情報である宿泊者情報を顧客に入力させる入力画面１３ａを表示して、入力された宿泊者情報を取得する。図４はこの入力画面例を示しており、氏名・電話番号・住所・同伴者氏名等の宿泊者情報を入力するための入力欄が表示される。宿泊者情報取得手段１０ｂは、入力欄のボックスがタッチされると、文字入力用のキーパッドを表示させ、電話番号のテキストボックスがタッチされると、テンキーパッドを表示させる。図４は電話番号の入力時を示すものであるためテンキーパッド１３ｂが表示されている。
【００２４】
このとき、宿泊者情報取得手段１０ｂは、操作画面１３１内に予約内容確認欄１３ｃも併せて表示する。この予約内容確認欄１３ｃには、予約確認手段１０ａが予約番号を問い合わせることで、サーバ装置３から送信されて来た予約情報が表示される。
【００２５】
署名情報取得手段１０ｃは、入力画面１３ａの「ご署名・お支払い」の選択ボタン１３ｄがタッチされると、図５に示すように手書き入力部である署名欄１３ｅを重ねて表示すると共に顧客が署名欄１３ｅの枠内に署名するときに描く文字を表示する。そして、署名欄１３ｅの「ＯＫ」ボタンが顧客によってタッチされると、署名情報取得手段１０ｃは、署名欄１３ｅの文字画像を含めたタッチ操作ディスプレイ１３の画面、すなわち手書き文字による署名文字画像を一時的に記憶する。署名は料金精算装置２本体に備え付けのタッチペンにより手書き入力されるが、このタッチペンは上記の宿泊者情報の入力時にも使用されてもよい。
【００２６】
精算制御手段１０ｄは、署名欄１３ｅの「ＯＫ」ボタンがタッチされと、サーバ装置３から送られてきた予約情報に基づき演算した前払い金額をタッチ操作ディスプレイ１３上に表示して、顧客は現金またはクレジットカードの何れかの支払い法を選択することになる。この前払い金額はサーバ装置３において予約情報に基づき演算されて、精算制御手段１０ｄに送られてくる構成であってもよい。或いは、予約情報に係らず予め設定している金額（預り金）を前払い金額としてもよい。
【００２７】
そして、精算制御手段１０ｄは、選択される支払方法に応じて、クレジットカード読取端末１５或いは硬貨処理装置１６や紙幣処理装置１７を制御して前払い金の精算処理を行う。また、精算制御手段１０ｄは、サーバ装置３で管理されているチェックイン後から発生する追加精算金額の精算処理も行う。この場合、前述の預り金を前払い金額とする場合には、チェックイン後から発生する追加精算金額を含めた総支払金額から預り金額を引いた残額が最終的な追加精算金額となる。
【００２８】
画像記録制御手段１０ｅは、手元カメラ１４の撮影する紙幣投入受取口２３の画像に顧客の手が含まれているかを認識する画像認識部１０２を含み、画像認識部１０２が画像の中に顧客の手を認識したとき、正面カメラ１９が撮影した顧客の正面画像と共に画像記録部１２に当該顧客の予約番号に関連付けて記憶する。したがって、本実施形態においては予約番号が顧客毎の識別コードとなるが、顧客を識別できる他の識別子でもよく、例えば、ホテルの会員番号やチェックイン時に顧客に割り付けた整理番号などがある。
【００２９】
ルームキー管理手段１０ｆは、前払いの精算終了後、予約番号を問い合わせたとき、サーバ装置３か受け取る予約情報に含まれているルームナンバー情報に基づいて、カードキー処理ユニット１８にカードキーを発行させる。カードキーはその裏面に磁気記録部を備えており、カードキー処理ユニット１８は、ルームキー管理手段１０ｆから送られてくるルームナンバー情報を磁気記録部に書き込みカードキーを作成してカードキー発行・受け取り口２６から発行する。
【００３０】
よって、上述の精算制御手段１０ｄは、チェックアウトの時には、顧客によってカードキー発行・受け取り口２６から返却されたカードキーからカードキー処理ユニット１８で読み取られたルームナンバー情報によってサーバ装置３に追加精算金額を問い合わせて、追加精算金額があればその精算処理を行う。
【００３１】
次にサーバ装置３について図１を参照して説明する。サーバ装置３は、ホテルの客室の空き情報を通信ネットワーク５上に提供し、空き情報に基づいたユーザー端末装置６からの予約申込み情報を受け付けるＷｅｂサーバ３１と、この予約申込み情報を受け付けたとき、当該ユーザー端末装置６に受付確認メールを送信するメールサーバ３２と、ホテル内の業務を管理する管理サーバ３３とを備える。
【００３２】
管理サーバ３３は、ＬＡＮ４で料金精算装置２やホテル内に設置されている例えば、館内のレストランでの飲食料金データを管理するレストラン端末機などの各端末装置３０（図示の例はレストラン端末機）と繋がっており、予約管理手段３３ａと、宿泊情報管理手段３３ｂと、宿泊代金の料金管理手段３３ｃと、データベース３３ｄとを有している。
【００３３】
予約管理手段３３ａは、客室の空き情報をＷｅｂサーバ３１へ送付し、Ｗｅｂサーバ３１は空き情報をブラウザ上で閲覧可能なようＷｅｂページを作成する。Ｗｅｂサーバ３１は、顧客が予約申込みに必要な事項を入力するための予約画面情報のＷｅｂページを予め作成している。よって、顧客がＷｅｂサーバ３１にアクセスしたとき、ユーザー端末装置６の画面には空き室情報が表示されて、空き室のある日にちが選択されると、画面は予約画面に切り換わり、顧客により必要事項が記入されてＷｅｂサーバ３１へ送信される。図示しないが、この予約画面には、宿泊日及び宿泊人数と朝食付き等の宿泊プランとメールアドレスが顧客によって入力されることになる。
【００３４】
これにより、予約管理手段３３ａは、当該予約受付に対する予約番号を採番して、予約番号に対応付けて予約画面に記入された予約情報を図６に示すようにデータベース３３ｄに格納する。加えて、予約管理手段３３ａは、客室を決定して予約番号に対応付けて、このルームナンバーをデータベース３３ｄに格納すると共に、更新した空き室情報をＷｅｂサーバ３１に送付する。そして、メールサーバ３２は、このテキストデータの予約番号をＱＲコードに変換して、予約情報に含まれているメールアドレスにメール送信する。よって、顧客はメールの受信により予約が成立したことを確認することができる。
【００３５】
宿泊情報管理手段３３ｂは、料金精算装置２から正面カメラ１９で撮影されたＱＲコードが示す予約番号が送信されてくると、データベース３３ｄに格納されている予約番号と照合して予約の有無を確認する。予約があれば、この予約番号に対応付けてデータベース３３ｄに格納しているルームナンバーを料金精算装置２に送信することで、宿泊者情報取得手段１０ｂによるチェックインの処理を許可する。
【００３６】
そして、宿泊情報管理手段３３ｂは、チェックイン手続により宿泊者情報取得手段１０ｂが取得した宿泊者情報及び署名情報取得手段１０ｃが取得した署名文字画像のイメージファイルＩＭＧを予約番号に対応付けてデータベース３３ｄに格納する。よって、データベース３３ｄは宿泊カードを電子ファイルで保存することになる。
【００３７】
料金管理手段３３ｃは、料金精算装置２からＱＲコードに基づく予約番号が送信されると、この予約内容に基づく前払い金額を演算して、この前払い金額を料金精算装置２に送信する。チェックイン後に顧客がホテル内の各設備や施設の利用で発生する代金情報、例えばレストランでの飲食代はレストラン端末機３０から顧客のルームナンバー情報と共に料金管理手段３３ｃに送られてくる。したがって、料金管理手段３３ｃは、チェックアウト時には、この顧客のルームナンバーで送られてきているチェックイン後に発生する代金情報から追加精算金額を演算して、この追加精算金額を料金精算装置２へ送信する。
【００３８】
上記構成のチェックイン・チェックアウトシステム１の処理手順について、図７乃至図９のフローチャートを参照して詳細に説明する。
【００３９】
先ず、ユーザー端末装置６がサーバ装置３のＷｅｂサーバ３１が開設しているウェブサイトにアクセスすると（ステップＳ０１）、ホテルの客室の空き情報のウェブページが送られて、ユーザー端末装置６に表示される（ステップＳ０２）。
【００４０】
顧客は空き室状況をチェックして、宿泊予定日に空き室があればこの日を指定する（ステップＳ０３）。宿泊日の指定により、ユーザー端末装置６にはＷｅｂサーバ３１から予約画面のＷｅｂページが送られてきて表示される（ステップＳ０４）。そして、顧客によって宿泊数及び宿泊人数と宿泊プランとメールアドレス等の予約情報が入力されて送信される（ステップＳ０５）。
【００４１】
Ｗｅｂサーバ３１に予約情報が送られてくると、管理サーバ３３の予約管理手段３３ａは予約番号を採番し、この予約情報と共にデータベース３３ｄに格納する（ステップＳ０６）。このとき、予約管理手段３３ａはこの顧客に提供する客室を決定し、このルームナンバーも併せて予約情報に対応付けてデータベース３３ｄに格納する。
【００４２】
そして、メールサーバ３２は、この予約番号を表わすＱＲコードを、入力された予約情報の中に含まれているメールアドレスにメールで送信する（ステップＳ０７）。そして、ユーザー端末装置６でＱＲコードが保存される（ステップＳ０８）一方、予約管理手段３３ａは空き室情報を更新して宿泊予約が完了する（ステップＳ０９）。
【００４３】
料金精算装置２は待機時においては、図１１に示すように、タッチ操作ディスプレイ１３の操作画面にチェックイン及びチェックアウトの何れかの処理を選択するための初期画面を表示している。そして、チェックインの処理が選択されたときの処理を説明する。
【００４４】
顧客が料金精算装置２のタッチ操作ディスプレイ１３の初期画面から「チェックイン」を選択すると、料金精算装置２はチェックインの処理となる。
【００４５】
チェックイン処理で、料金精算装置２は、正面カメラ１９に顧客に対しメールで送信しているＱＲコードがかざされると（ステップＳ１０）、予約確認手段１０ａはＱＲコードをデコードして予約番号に変換し、この予約番号を管理サーバ３３に問い合わせる（ステップＳ１１）。
【００４６】
管理サーバ３３はこの問い合わせに対し予約管理手段３３ａがデータベース３３ｄから該当する予約番号を検索し（ステップＳ１２）、検索した予約番号に関連付けて格納されているルームナンバーと予約情報とを問合せのあった料金精算装置２へ送信する（ステップＳ１３）。
【００４７】
料金精算装置２は、これらの情報を受信すると、宿泊者情報取得手段１０ｂがタッチ操作ディスプレイ１３に宿泊者情報の入力画面１３ａを表示して、顧客が入力する宿泊情報を取得する（ステップＳ１４）。続いて、料金精算装置２の署名情報取得手段１０ｃが署名欄１３ｃの枠内に描かれる文字を表示して、顧客による署名欄１３ｅ内への署名が行われる。そして、署名欄１３ｅの「ＯＫ」ボタンが顧客によってタッチされると、署名情報取得手段１０ｃは、署名欄１３ｅに描かれた手書き文字を含むタッチ操作ディスプレイ１３に表示された画面を、署名文字画像として一時的に記憶する（ステップＳ１５）。
【００４８】
宿泊者情報及び署名の受付を終了すると、料金精算装置２は、精算制御手段１０ｄによって、顧客から前払い金を徴収するための精算処理となる（ステップＳ１６）。
【００４９】
図９は、ステップＳ１６の精算処理の動作を説明するフローチャートであり、精算制御手段１０ｄは精算金額を表示する（ステップＳ１６１）。この場合の精算金額は、チェックイン時に徴収する前払い金額であるから、精算制御手段１０ｄは、予約管理手段３３ａから送られてきている予約情報に示されている宿泊数及び人数と宿泊プランから前払い金額を演算し、タッチ操作ディスプレイ１３の画面にこの前払い金額を表示する。そして、精算制御手段１０ｄは、顧客によって現金支払い又はクレジットカード払いの何れかを選択する画面を表示する（ステップＳ１６２）。ここでクレジットカード払いが選択された場合は、クレジットカード読取端末１５による決済処理となる。
【００５０】
現金払いが選択されると（ステップＳ１６３の「ＹＥＳ」）、画像記録制御手段１０ｅは、正面カメラ１９及び手元カメラ１４を作動する（ステップＳ１６４）。正面カメラ１９は顧客の正面からの顔画像を静止画で撮影するが、動画であっても良い。動画のときは、予め定めた時間撮影しても良いし、何らかの処理が終了するまで撮影を継続しても良い。一方、手元カメラ１４は、紙幣投入受取口２３の入口を動画で撮影する。
【００５１】
画像記録制御手段１０ｅは、正面カメラ１９が撮影した顔画像を画像記録部１２に記録すると共に、手元カメラ１４が撮影する画像については、画像認識処理で手が撮影されている場合には、この撮影画像を画像記録部１２に記録する（ステップＳ１６５）。したがって、手元カメラ１４が撮影する一連の動画の中から画像認識部１０２によって手を認識したとき、画像記録制御手段１０ｅは顧客による紙幣投入受取口２３に紙幣を投入する状況の画像が画像記録部１２に記録されることになる。これに対して、画像認識部１０２によって手が認識されない場合は、紙幣投入受取口２３に紙幣を投入されていないため手元カメラ１４の撮影画像が画像記録部１２に記録されることはない。そして、画像記録制御手段１０ｅは、これら画像をハードディスクに記録するとき、予約番号に関連付けて記録する。
【００５２】
顧客が前払い金の支払いで紙幣投入受取口２３へ紙幣を投入する場合に、紙幣投入受取口２３へは投入する複数枚の紙幣を重ねて一括して投入することができ、紙幣処理装置１７では１枚ずつ紙幣の真贋を判別しながら投入紙幣額を演算して、精算制御手段１０ｄへ送る。また、硬貨投入口２４から投入される硬貨は硬貨処理装置１６へ導入されて、硬貨処理装置１６では硬貨の真贋を判別しながら投入硬貨額を演算して、精算制御手段１０ｄへ送る。
【００５３】
精算制御手段１０ｄは、紙幣処理装置１７や硬貨処理装置１６から送られてくる投入紙幣額や投入硬貨額から投入金額の合計を演算し（ステップＳ１６６）、投入金額合計が精算金額を超過していることを判別すると（ステップＳ１６７の「ＹＥＳ」）、釣銭の払い出しを制御する（ステップＳ１６８）。精算制御手段１０ｄは、釣銭の金種構成に応じて紙幣処理装置１７と硬貨処理装置１６の何れか一方又は両方に払い出し金種を指示して、釣銭が払い出される。
【００５４】
釣銭払い出しで精算制御手段１０ｄが紙幣処理装置に釣札の払い出しを指示している場合には（ステップＳ１６９の「ＹＥＳ」）、画像記録制御手段１０ｅは手元カメラ１４を作動する（ステップＳ１７０）。よって、手元カメラ１４は、紙幣投入受取口２３から顧客が釣札を受け取る画像を撮影して、画像記録制御手段１０ｅはこの画像を画像記録部１２に予約番号に関連付けて記録し（ステップＳ１７１）、精算処理が終了する。
【００５５】
図７のフローチャートに戻って、ステップＳ６での前払い金の精算処理が終了すると、精算制御手段１０ｄは、宿泊者情報取得手段１０ｂや署名情報取得手段１０ｃによってそれぞれ取得された宿泊者情報及び署名文字画像を管理サーバ３３へ送信する（ステップＳ１７）。そして、宿泊情報管理手段３３ｂは、宿泊者情報及び署名情報取得手段１０ｃが取得した署名文字画像を予約番号に対応付けてデータベース３３ｄに格納する（ステップＳ１８）。
【００５６】
そして、料金精算装置２は、ルームキー管理手段１０ｆによってカードキー処理ユニット１８を制御してルームキーを発行するよう制御する（ステップＳ１９）。ルームキー管理手段１０ｆは、管理サーバ３３から送られてきている予約番号に関連付けられているルームナンバー情報をカードキー処理ユニット１８に出力し、カードキー処理ユニット１８はルームナンバー情報をカードキーの磁気記録部に記録して、カードキー発行・受け取り口２６から発行（送出）する。そして、カードキーの発行により料金精算装置２のチェックイン処理が終了する。
【００５７】
チェックイン後、管理サーバ３３は料金管理手段３３ｃによって、顧客がホテル内の各施設の利用で発生する追加精算金額を演算してデータベース３３ｄでルームナンバーに対応付けて格納している。例えば、レストランでの飲食代金は、レストラン端末機３０からルームナンバー情報と共に管理サーバ３３へ送られて、追加精算金額として料金管理手段３３ｃで演算されている。
【００５８】
そして、顧客が料金精算装置２の初期画面１３ａから「チェックアウト」を選択したとき、料金精算装置２は、図８のフローチャートで示すチェックアウトの処理となる。
【００５９】
チェックアウトでは、顧客はカードキーをカードキー発行・受け取り口２６へ挿入する（ステップＳ２０）。よって、カードキー処理ユニット１８が返却されたカードキーの磁気記録部に記録されているルームナンバーを読み取って、このルームナンバー情報を精算制御手段１０ｄへ送る。よって、精算制御手段１０ｄはこのルームナンバー情報を管理サーバ３３へ送信して追加精算金額を問合せる（ステップＳ２１）。
【００６０】
管理サーバ３３では、料金管理手段３３ｃが受信したルームナンバーに対応する追加精算金額及び予約番号をデータベース３３ｄから読み出して料金精算装置２へ送信する（ステップＳ２２）。これにより、追加精算金額を受け取った料金精算装置２は、ルームキー管理手段１０ｆによって返却されたカードキーの磁気記録部に記録されているルームナンバー情報を消去するようカードキー処理ユニット１８を制御する（ステップＳ２３）。そして、精算制御手段１０ｄは、追加精算金額の精算処理を行ってチェックアウトを終了する（ステップＳ２４）。
【００６１】
このステップＳ２４での精算処理は、図９のフローチャートで説明した手順で行われる。但し、チェックアウトの場合は、ステップＳ１６１で表示する精算金額は管理サーバ３３から送られてくる追加の精算金額となる。したがって、追加精算金額の場合も、正面カメラ１９が撮影した顧客の正面からの顔画像を静止画で撮影し、手元カメラ１４は紙幣投入受取口２３の入口周辺を動画で撮影されて、撮影された画像は画像記録制御手段１０ｅによって、画像記録部１２に予約番号に関連付けてそれぞれ記録される。このときも手元カメラ１４の画像は顧客の手が撮影されている場合にのみ画像記録部１２に記録され、釣銭に釣札があるときの手元カメラ１４の撮影画像も記録される。
【００６２】
上記の料金精算装置２は、顧客の操作によって取引が行われる際、取引口での手の画像を撮影して画像記録部１２にジャーナル保管するものである。したがって、画像記録部１２に記録された顧客の正面画像と顧客の手元画像は、予約番号でアクセスすることにより画像記録部１２から読み出されて、図１０に示すようにタッチ操作ディスプレイ１３の操作画面１３１又は管理サーバ３３の画面に表示することができる。これにより、顧客が故意又は過失で紙幣投入受取口２３への投入紙幣の金種と異なる投入金額が画面に表示されている或いは釣札が払い出されない又は不足しているなどの申し立てがあったときに、それが妥当であるかをホテル側が判断するための材料となる。このような手元カメラ１４を硬貨投入口にも配置して、投入硬貨や釣銭硬貨の画像による確認に用いてもよい。
【００６３】
以上、図示されている実施形態を参照して、本発明を説明したが、図示されているこれら実施形態に限定されるものではない。例えば、本実施形態の料金精算装置２はチェックイン時の宿泊者情報及び署名文字画像の登録も行っているが、料金精算装置２は受付機能を有さなくてもよい。この場合、顧客はチェックインカウンターで受付を行った後、チェックインカウンターと近接した場所に配置された料金精算装置２で精算処理を行うようにしてもよい。
【００６４】
また、上記の実施形態では、手元カメラ１４を紙幣投入受取口２３や硬貨投入口２４の入口側に配置しているが、商品券、ギフトカード、図書券などその他諸々の有価証券やクーポン券の類が投入可能な料金精算装置であれば、これら取引媒体を受け渡しする取引口に配置される。
【符号の説明】
【００６５】
２      料金精算装置
１０    制御部
１２    画像記録部
１４    手元カメラ
１９    正面カメラ
２３    紙幣投入受取口（取引口）
１０１  ＱＲコードリーダ部（二次元コードリーダ部）
１０２  画像認識部
【図１】
2018195007.tif 000003
【図２】
2018195007.tif 000004
【図３】
2018195007.tif 000005
【図４】
2018195007.tif 000006
【図５】
2018195007.tif 000007
【図６】
2018195007.tif 000008
【図７】
2018195007.tif 000009
【図８】
2018195007.tif 000010
【図９】
2018195007.tif 000011
【図１０】
2018195007.tif 000012
【図１１】
2018195007.tif 000013